【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
階調画像データを空間周波数成分に変換した周波数データの低周波成分に基づき、前記階調画像データの明度・色差情報を取得する取得手段と、
取得される明度・色差情報に基づき、前記階調画像データの明度・色差変換量を設定する設定手段とを有することを特徴とする画像処理装置。
【請求項２】
階調画像データを空間周波数成分に変換した周波数データの特徴量を抽出する抽出手段と、
抽出される特徴量に基づき、前記階調画像データの明度・色差情報の取得方法を決定する決定手段と、
前記決定に従い、前記周波数データから前記階調画像データの明度・色差情報を取得する取得手段と、
取得される明度・色差情報に基づき、前記階調画像データの明度・色差変換量を設定する設定手段とを有することを特徴とする画像処理装置。
【請求項３】
前記決定手段は、前記周波数データの低周波成分から明度・色差情報を取得するか、前記周波数データから明度・色差情報を取得するかを決定することを特徴とする請求項2に記載された画像処理装置。
【請求項４】
前記抽出手段は、前記周波数データの単位データごとに前記特徴量を抽出することを特徴とする請求項2または請求項3に記載された画像処理装置。
【請求項５】
前記決定手段は、前記単位データの低周波成分から明度・色差情報を取得するか、前記単位データから明度・色差情報を取得するかを決定することを特徴とする請求項4に記載された画像処理装置。
【請求項６】
前記特徴量は、前記単位データの終了位置、前記単位データのサイズ、前記単位データに含まれる所定要素の値、前記単位データに含まれる所定範囲の要素の累積値、最大値および最小値の少なくとも一つであることを特徴とする請求項4または請求項5に記載された画像処理装置。
【請求項７】
前記特徴量は、前記階調画像データおよび前記周波数データのサイズおよび画素数の少なくとも一つであることを特徴とする請求項2から請求項6の何れかに記載された画像処理装置。
【請求項８】
階調画像データを空間周波数成分に変換した周波数データの単位データに、前記階調画像データには含まれないデータが含まれるか否かを判定する判定手段と、
前記判定に基づき、前記単位データから明度・色差情報を取得するか否かを決定する決定手段と、
前記明度・色差情報を取得すると決定された前記単位データの低周波成分から前記階調画像データの明度・色差情報を取得する取得手段と、
取得される明度・色差情報に基づき、前記階調画像データの明度・色差変換量を設定する設定手段とを有することを特徴とする画像処理装置。
【請求項９】
階調画像データを空間周波数成分に変換した周波数データの単位データに、前記階調画像データには含まれないデータが含まれるか否かを判定する判定手段と、
前記判定に基づき、前記階調画像データの明度・色差情報の取得方法を決定する決定手段と、
前記決定に従い、前記単位データから前記階調画像データの明度・色差情報を取得する取得手段と、
取得される明度・色差情報に基づき、前記階調画像データの明度・色差変換量を設定する設定手段とを有することを特徴とする画像処理装置。
【請求項１０】
前記決定手段は、前記単位データの低周波成分から明度・色差情報を取得するか、前記単位データから明度・色差情報を取得するかを決定することを特徴とする請求項9に記載された画像処理装置。
【請求項１１】
階調画像データを空間周波数成分に変換した周波数データの単位データに、前記階調画像データには含まれないデータが含まれるか否かを判定する判定手段と、
前記単位データの低周波成分から前記階調画像データの明度・色差情報を取得し、前記判定に基づき、取得した明度・色差情報に重み付けを行う取得手段と、
重み付けされた明度・色差情報に基づき、前記階調画像データの明度・色差変換量を設定する設定手段とを有することを特徴とする画像処理装置。
【請求項１２】
階調画像データを空間周波数成分に変換した周波数データの単位データの特徴量を抽出する抽出手段と、
抽出される特徴量に基づき、前記単位データ中の低周波成分から取得される前記階調画像データの明度・色差情報を変調する変調手段と、
変調された明度・色差情報に基づき、前記階調画像データの明度・色差変換量を設定する設定手段とを有することを特徴とする画像処理装置。
【請求項１３】
前記変調手段は、取得された明度・色差情報を、所定の範囲に、所定の重みを付けて分散させることを特徴とする請求項12に記載された画像処理装置。
【請求項１４】
さらに、設定された明度・色差変換量に基づき、前記周波数データの低周波成分に明度・色差変換を施す変換手段を有することを特徴とする請求項12または請求項13に記載された画像処理装置。
【請求項１５】
階調画像データを空間周波数成分に変換した周波数データの低周波成分に基づき、前記階調画像データの明度・色差情報を取得し、
取得される明度・色差情報に基づき、前記階調画像データの明度・色差変換量を設定することを特徴とする画像処理方法。
【請求項１６】
階調画像データを空間周波数成分に変換した周波数データの特徴量を抽出し、
抽出される特徴量に基づき、前記階調画像データの明度・色差情報の取得方法を決定し、
前記決定に従い、前記周波数データから前記階調画像データの明度・色差情報を取得し、
取得される明度・色差情報に基づき、前記階調画像データの明度・色差変換量を設定することを特徴とする画像処理方法。
【請求項１７】
階調画像データを空間周波数成分に変換した周波数データの単位データに、前記階調画像データには含まれないデータが含まれるか否かを判定し
前記判定に基づき、前記単位データから明度・色差情報を取得するか否かを決定し、
前記明度・色差情報を取得すると決定された前記単位データの低周波成分から前記階調画像データの明度・色差情報を取得し、
取得される明度・色差情報に基づき、前記階調画像データの明度・色差変換量を設定することを特徴とする画像処理方法。
【請求項１８】
階調画像データを空間周波数成分に変換した周波数データの単位データに、前記階調画像データには含まれないデータが含まれるか否かを判定し、
前記判定に基づき、前記階調画像データの明度・色差情報の取得方法を決定し、
前記決定に従い、前記単位データから前記階調画像データの明度・色差情報を取得し、
取得される明度・色差情報に基づき、前記階調画像データの明度・色差変換量を設定することを特徴とする画像処理方法。
【請求項１９】
階調画像データを空間周波数成分に変換した周波数データの単位データに、前記階調画像データには含まれないデータが含まれるか否かを判定し、
前記単位データの低周波成分から前記階調画像データの明度・色差情報を取得し、前記判定に基づき、取得した明度・色差情報に重み付けを行い、
重み付けされた明度・色差情報に基づき、前記階調画像データの明度・色差変換量を設定することを特徴とする画像処理方法。
【請求項２０】
階調画像データを空間周波数成分に変換した周波数データの単位データの特徴量を抽出し、
抽出される特徴量に基づき、前記単位データ中の低周波成分から取得される前記階調画像データの明度・色差情報を変調し、
変調された明度・色差情報に基づき、前記階調画像データの明度・色差変換量を設定することを特徴とする画像処理方法。
【請求項２１】
画像処理装置を制御して、請求項15から請求項20の何れかに記載された画像処理を実行することを特徴とするプログラム。
【請求項２２】
請求項21に記載されたプログラムが記録されたことを特徴とする記録媒体。
【手続補正２】
【補正対象書類名】明細書
【補正対象項目名】０００７
【補正方法】変更
【補正の内容】
【０００７】
本発明にかかる画像処理装置は、階調画像データを空間周波数成分に変換した周波数データの低周波成分に基づき、前記階調画像データの明度・色差情報を取得する取得手段と、取得される明度・色差情報に基づき、前記階調画像データの明度・色差変換量を設定する設定手段とを有することを特徴とする。


【手続補正３】
【補正対象書類名】明細書
【補正対象項目名】０００８
【補正方法】変更
【補正の内容】
【０００８】
また、階調画像データを空間周波数成分に変換した周波数データの特徴量を抽出する抽出手段と、抽出される特徴量に基づき、前記階調画像データの明度・色差情報の取得方法を決定する決定手段と、前記決定に従い、前記周波数データから前記階調画像データの明度・色差情報を取得する取得手段と、取得される明度・色差情報に基づき、前記階調画像データの明度・色差変換量を設定する設定手段とを有することを特徴とする。


【手続補正４】
【補正対象書類名】明細書
【補正対象項目名】０００９
【補正方法】変更
【補正の内容】
【０００９】
また、階調画像データを空間周波数成分に変換した周波数データの単位データに、前記階調画像データには含まれないデータが含まれるか否かを判定する判定手段と、前記判定に基づき、前記単位データから明度・色差情報を取得するか否かを決定する決定手段と、前記明度・色差情報を取得すると決定された前記単位データの低周波成分から前記階調画像データの明度・色差情報を取得する取得手段と、取得される明度・色差情報に基づき、前記階調画像データの明度・色差変換量を設定する設定手段とを有することを特徴とする。


【手続補正５】
【補正対象書類名】明細書
【補正対象項目名】００１０
【補正方法】変更
【補正の内容】
【００１０】
また、階調画像データを空間周波数成分に変換した周波数データの単位データに、前記階調画像データには含まれないデータが含まれるか否かを判定する判定手段と、前記判定に基づき、前記階調画像データの明度・色差情報の取得方法を決定する決定手段と、前記決定に従い、前記単位データから前記階調画像データの明度・色差情報を取得する取得手段と、取得される明度・色差情報に基づき、前記階調画像データの明度・色差変換量を設定する設定手段とを有することを特徴とする。


【手続補正６】
【補正対象書類名】明細書
【補正対象項目名】００１１
【補正方法】変更
【補正の内容】
【００１１】
また、階調画像データを空間周波数成分に変換した周波数データの単位データに、前記階調画像データには含まれないデータが含まれるか否かを判定する判定手段と、前記単位データの低周波成分から前記階調画像データの明度・色差情報を取得し、前記判定に基づき、取得した明度・色差情報に重み付けを行う取得手段と、重み付けされた明度・色差情報に基づき、前記階調画像データの明度・色差変換量を設定する設定手段とを有することを特徴とする。


【手続補正７】
【補正対象書類名】明細書
【補正対象項目名】００１２
【補正方法】変更
【補正の内容】
【００１２】
また、階調画像データを空間周波数成分に変換した周波数データの単位データの特徴量を抽出する抽出手段と、抽出される特徴量に基づき、前記単位データ中の低周波成分から取得される前記階調画像データの明度・色差情報を変調する変調手段と、変調された明度・色差情報に基づき、前記階調画像データの明度・色差変換量を設定する設定手段とを有することを特徴とする。


【手続補正８】
【補正対象書類名】明細書
【補正対象項目名】００１３
【補正方法】変更
【補正の内容】
【００１３】
本発明にかかる画像処理方法は、階調画像データを空間周波数成分に変換した周波数データの低周波成分に基づき、前記階調画像データの明度・色差情報を取得し、取得される明度・色差情報に基づき、前記階調画像データの明度・色差変換量を設定することを特徴とする。


【手続補正９】
【補正対象書類名】明細書
【補正対象項目名】００１４
【補正方法】変更
【補正の内容】
【００１４】
また、階調画像データを空間周波数成分に変換した周波数データの特徴量を抽出し、抽出される特徴量に基づき、前記階調画像データの明度・色差情報の取得方法を決定し、前記決定に従い、前記周波数データから前記階調画像データの明度・色差情報を取得し、取得される明度・色差情報に基づき、前記階調画像データの明度・色差変換量を設定することを特徴とする。


【手続補正１０】
【補正対象書類名】明細書
【補正対象項目名】００１５
【補正方法】変更
【補正の内容】
【００１５】
また、階調画像データを空間周波数成分に変換した周波数データの単位データに、前記階調画像データには含まれないデータが含まれるか否かを判定し前記判定に基づき、前記単位データから明度・色差情報を取得するか否かを決定し、前記明度・色差情報を取得すると決定された前記単位データの低周波成分から前記階調画像データの明度・色差情報を取得し、取得される明度・色差情報に基づき、前記階調画像データの明度・色差変換量を設定することを特徴とする。


【手続補正１１】
【補正対象書類名】明細書
【補正対象項目名】００１６
【補正方法】変更
【補正の内容】
【００１６】
また、階調画像データを空間周波数成分に変換した周波数データの単位データに、前記階調画像データには含まれないデータが含まれるか否かを判定し、前記判定に基づき、前記階調画像データの明度・色差情報の取得方法を決定し、前記決定に従い、前記単位データから前記階調画像データの明度・色差情報を取得し、取得される明度・色差情報に基づき、前記階調画像データの明度・色差変換量を設定することを特徴とする。


【手続補正１２】
【補正対象書類名】明細書
【補正対象項目名】００１７
【補正方法】変更
【補正の内容】
【００１７】
また、階調画像データを空間周波数成分に変換した周波数データの単位データに、前記階調画像データには含まれないデータが含まれるか否かを判定し、前記単位データの低周波成分から前記階調画像データの明度・色差情報を取得し、前記判定に基づき、取得した明度・色差情報に重み付けを行い、重み付けされた明度・色差情報に基づき、前記階調画像データの明度・色差変換量を設定することを特徴とする。


【手続補正１３】
【補正対象書類名】明細書
【補正対象項目名】００１８
【補正方法】変更
【補正の内容】
【００１８】
また、階調画像データを空間周波数成分に変換した周波数データの単位データの特徴量を抽出し、抽出される特徴量に基づき、前記単位データ中の低周波成分から取得される前記階調画像データの明度・色差情報を変調し、変調された明度・色差情報に基づき、前記階調画像データの明度・色差変換量を設定することを特徴とする。


【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】